(57)【要約】本発明は、ビルに設置される回転ドア（１０）に関し、この回転ドア（１０）は、複数枚のドア（１２）が中心軸（１３）の回りを底板と天板との間で回転するようになった円筒型シェル壁（１６）と、該シェル壁（１６）に形成された入口及び出口（１５）とを備え、該入口及び出口の少なくとも一方がシェル壁（１６）の垂直縁部に配置されている空気流出ユニット（２０）を有し、該空気流出ユニット（２０）は、実質的にドア（１０）の上方空間を満たす前記底板と前記天板との間に配列される垂直方向に延びるエアカーテンを生成するための排気スロットを有しており、排気スロットは、実質的に回転ドア（１０）の半径方向内側に指向し、使用時に、ビルの内側に配置されている空気流出ユニット（２０）によって、複数枚のドア（１２）が非通気シールを備えるようになっている。
2005530071.tif 000002
【特許請求の範囲】
【請求項１】
内部で複数枚のドアが中心軸の回りを底板と天板との間で回転するようになった円筒型シェル壁と、
前記シェル壁に形成された入口及び出口と、
を備え、前記入り口及び出口の少なくとも一方が前記シェル壁の垂直縁部に配置されている空気流出ユニットを有し、
前記空気流出ユニットが、実質的に前記ドアの上方空間を満たす前記底板と前記天板との間に配列される垂直方向に延びるエアカーテンを生成するための排気スロットを有する、ビルに設置される回転ドアであって、
前記排気スロットは、実質的に前記回転ドアの半径方向内側に指向し、使用時に、ビルの内側に配置されている空気流出ユニットによって、前記複数枚のドアが非通気シールを構成するようになったことを特徴とする回転ドア。
【請求項２】
ビルの外側に設けられ、排気スロットが実質的に前記回転ドアの半径方向内側に指向する第２の空気流出ユニットを備えることを特徴とする請求項１に記載の回転ドア。
【請求項３】
前記空気流出ユニットの一方又は両方は、ビルの内側の雰囲気と連通する吸気口を有することを特徴とする請求項１又は２に記載の回転ドア。
【発明の詳細な説明】
【技術分野】
【０００１】
本発明は、内部で複数枚のドアが中心軸の回りを底板と天板との間で回転するようになった円筒型シェル壁と、シェル壁に形成された入口及び出口とを備え、該入り口及び出口の少なくとも一方がシェル壁の垂直縁部に配置されている空気流出ユニットを有し、該空気流出ユニットが、実質的にドアの上方空間を満たす底板と天板との間に配列される垂直方向に延びる空気カーテンを生成するための排気スロットを有する、ビルに設置される回転ドアに関する。
【背景技術】
【０００２】
前述の回転ドアは、独国実用新案ＤＥ−Ｕ−２０００６９６８公報から公知である。通常、この回転ドアの複数枚のドアは、底板と天板との間で回動可能に配置されている。エアカーテンは、底板と天板との間に広がり、ドアの上方空間は、実質的にエアカーテンで満たされるようになっている。
実際には、公知の回転ドアでは、回転ドアを使用するビルの屋内雰囲気と屋外雰囲気とを効果的に分離できない。
【０００３】
【特許文献１】独国実用新案ＤＥ−Ｕ−２０００６９６８号明細書
【特許文献２】独国特許ＤＥ−Ｃ−４１２６９２４号明細書
【発明の開示】
【発明が解決しようとする課題】
【０００４】
本発明の目的は、上記の問題点に関して公知の回転ドアを改良すること、及び概して公知の回転アの代替物を提供することである。
【課題を解決するための手段】
【０００５】
この目的を達成するために、本発明による回転ドアは、排気スロットが実質的に回転ドアの半径方向内側に指向し、使用時に、ビルの内側に配置されている空気流出ユニットによって、複数枚のドアが非通気シールを備えるようになっていることを特徴とする。
【０００６】
驚くことに、本発明による回転ドアは、実際に満足できるものである。本出願人は、その理由として、本発明の手段が回転ドアの雰囲気内に局部的に高い周囲圧力を引き起こし、この周囲圧力が、空気流出ユニットによって高い周囲圧力が形成された複数枚のドア間の区域が後続の回転によって最初は複数枚のドアとシェル壁とによってシールされるので、回転ドアの使用中に維持され、実質的に空気流出ユニットと反対側の開口から出ていくためと考える。この高い圧力により、この開口では流出が生じるが、回転ドアの外側からの外気の流入は生じない。その結果、外側の環境は回転ドアの内側の環境から適切に遮断される。回転ドアが更に回転すると、複数枚のドアとシェル壁による遮断が再度起こるので、回転ドアのこの区域が空気流出ユニットの範囲に達すると回転ドアのこの区域の圧力が再度上昇する。本発明による回転ドアが適切に機能するには、前述の説明から明らかなように、使用時に複数枚のドアが非通気密閉の回転ドアをもたらすことが必須である。
【０００７】
独国特許ＤＥ−Ｃ−４１２６９２４公報は、半径方向内側に指向する空気流を用いる回転ドアを開示している点に留意されたい。しかしながら、この特許文献に記載されている空気流出ユニットは、ビルの内側ではなくビルの外側に配置されており、更に、流れにより低温の空気を屋外雰囲気に向けて排出するために、底板からドアの約半分まで延びるだけである。
【０００８】
屋内雰囲気と屋外雰囲気の分離を促進するために、出口スロットが実質的に回転ドアの半径方向内側に指向した第２の空気流出ユニットをビルの外側に設けることが好ましい。
また、単数又は複数の空気流出ユニットは、ビル内側の雰囲気に連通する吸気口を有するのが好ましい。
以下に図面を参照して本発明を詳細に説明する。
【発明を実施するための最良の形態】
【０００９】
図面において同じ部材には同じ参照符号が付与されている。
図１は、ビル正面の開口４０に設置されている本発明による回転ドア１０を示す。その例示的な実施形態において、回転ドア１０は、環状に湾曲したシェル壁１６を有し、その内部には中央に配置された回転構造体１１を備えており、この例示的な実施形態において回転構造体１１には４枚のドア１２が取付けられている。
【００１０】
シェル壁１６は、例えば、ガラス製であってもよく、更に、上側及び下側に保護形状を備えることもできる。４枚のドア１２が取付いている回転構造体１１を作動させるために、公知の駆動装置を回転構造体１１の上方又は下方に設けることができる（図示せず）。
４枚のドア１２が取付いている回転構造体１１は、仮想線１３の回りを天板と底板（図示せず）との間で回転する。
【００１１】
入口及び出口である回転ドア１０は、両側にそれぞれ屋内又は屋外につながる通路１５を有している。
回転ドア１０を通り抜けるためには、回転構造体１１は、例えば、矢印１４で示す方向へ回転することになる。
【００１２】
矢印１４の方向において、回転ドア１０の右側シェル壁１６の端部１７には空気流出ユニット２０が設けられている。空気流出ユニット２０は、矢印Ａで示す方向に回転ドア１０の区域内に半径方向へ風を吹き込む。空気流出ユニット２０は、底板と天板との間の高さの全範囲に風を吹き込む。空気流出ユニット２０は、ビルの内側に配置される。従って、回転ドアの区域Ｂは、屋外雰囲気と連通した状態にある。
【００１３】
図２及び図３は、本発明による回転ドア１０の別の例示的な実施形態を示す。図１の回転ドアとは回転構造体１１が３枚のドアを有する点で異なっている。更に、図２及び図３に示す回転構造体１１の回転方向は図１とは逆になっている。この点は本発明では差異がないことは明らかであろう。
【００１４】
空気流出ユニット２０の後側には、矢印５０に示すようにビルの内側から周囲空気を引き込む吸気口が設けられている。前述のように、この空気は、実質的に回転ドア１０の区域内へ矢印Ａの方向で入る。
【００１５】
図４は、本発明による回転ドア１０の第３の例示的な実施形態を示し、前述の実施形態とは、２枚のドアを有する点で相違する。
図４の場合、回転ドア１０の回転方向は図１と同一である。
【００１６】
各々の例示的な実施形態には１つの空気流出ユニット２０のみが示されているが、本発明はこれに限定されるものではなく、ビルの内側及び外側に空気流出ユニットを備える実施形態も同様に適切に実施できることは明らかであろう。これにより、屋内雰囲気と屋外雰囲気とをより有効に分離できる。便宜上、ビルの外側に設けられる空気流出ユニットもまた、ビルの内側から吸気を得る。
【図面の簡単な説明】
【００１７】
【図１】本発明による、４枚式回転ドアの第１の実施形態の概略断面図を示す。
【図２】本発明による、３枚式回転ドアの第２の実施形態の概略断面図を示す。
【図３】図２の回転ドアの斜視上面図を示す。
【図４】本発明による、２枚式回転ドアの第３の実施形態の概略断面図を示す。
【符号の説明】
【００１８】
１０  回転ドア
１２  複数枚のドア
１３  中心軸
１５  入口及び出口
１６  円筒型シェル壁
２０  空気流出ユニット
【図１】
2005530071.tif 000003
【図２】
2005530071.tif 000004
【図３】
2005530071.tif 000005
【図４】
2005530071.tif 000006
【国際調査報告】
2005530071.tif 000007
2005530071.tif 000008